【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
撮像素子から出力された画像信号を、第１の色空間の画像信号に変換する第１の変換手段と、
前記第１の色空間の画像信号に対して色処理を適用して出力する信号処理手段と、
前記信号処理手段が出力する画像信号から動画記録用の画像信号を生成する記録用信号生成手段であって、前記動画記録用の画像信号に要求される第２の色空間が前記第１の色空間と異なる場合には、前記信号処理手段が出力する画像信号を前記第２の色空間の信号に変換する第２の変換手段とを有する記録用信号生成手段と、
前記信号処理手段が出力する画像信号から、表示装置に対する表示用の画像信号を生成する表示用信号生成手段であって、前記表示用の画像信号に要求される第３の色空間が前記第１の色空間と異なる場合には、前記信号処理手段が出力する画像信号を前記第３の色空間の信号に変換する第３の変換手段とを有する表示用信号生成手段と、
前記第１から第３の変換手段の動作を制御する制御手段と、を有し、
前記制御手段は、動画記録と表示とのうち、優先すべき一方に用いる画像信号が生成される過程で適用される色空間の変換処理の回数が最小となるように、前記第１から第３の変換手段の動作を制御することを特徴とする撮像装置。
【請求項２】
前記制御手段は、前記撮像装置が入力値の線形的な増加に対して出力値が対数的に増加する入出力特性で変換された動画像を記録する場合には、前記第１の色空間が前記第２の色空間と等しくなるように前記第１の変換手段を制御することを特徴とする請求項１に記載の撮像装置。
【請求項３】
前記制御手段は、前記撮像装置が前記入出力特性で変換されない動画像を記録する場合には、前記第１の色空間が前記第３の色空間と等しくなるように前記第１の変換手段を制御することを特徴とする請求項２に記載の撮像装置。
【請求項４】
前記制御手段は、前記撮像装置が静止画を記録する場合には、前記第１の色空間が前記第３の色空間と等しくなるように前記第１の変換手段を制御することを特徴とする請求項１ないし請求項３のいずれか１項に記載の撮像装置。
【請求項５】
前記第１の色空間は、ＢＴ．６０１規格に準拠した色空間であり、前記第２の色空間はＢＴ．７０９規格に準拠した色空間であることを特徴とする請求項１から請求項４の何れか１項に記載の撮像装置。
【請求項６】
撮像素子から出力された画像信号を、第１の色空間の画像信号に変換する第１の変換手段と、
前記第１の色空間の画像信号に対して色処理を適用して出力する信号処理手段と、
前記信号処理手段が出力する画像信号から動画記録用の画像信号を生成する記録用信号生成手段であって、前記動画記録用の画像信号に要求される第２の色空間が前記第１の色空間と異なる場合には、前記信号処理手段が出力する画像信号を前記第２の色空間の信号に変換する第２の変換手段とを有する記録用信号生成手段と、
前記信号処理手段が出力する画像信号から、表示装置に対する表示用の画像信号を生成する表示用信号生成手段であって、前記表示用の画像信号に要求される第３の色空間が前記第１の色空間と異なる場合には、前記信号処理手段が出力する画像信号を前記第３の色空間の信号に変換する第３の変換手段とを有する表示用信号生成手段と、を有する撮像装置の制御方法であって、
前記撮像装置の制御手段が、動画記録と表示とのうち、優先すべき一方に用いる画像信号が生成される過程で適用される色空間の変換処理の回数が最小となるように、前記第１から第３の変換手段の動作を制御する制御工程を有することを特徴とする撮像装置の制御方法。
【請求項７】
画像処理装置であって、
撮像素子から出力された画像信号を、第１の色空間の画像信号に変換する第１の変換手段と、
前記第１の色空間の画像信号に対して色処理を適用して出力する信号処理手段と、
前記信号処理手段が出力する画像信号から動画記録用の画像信号を生成する記録用信号生成手段であって、前記動画記録用の画像信号に要求される第２の色空間が前記第１の色空間と異なる場合には、前記信号処理手段が出力する画像信号を前記第２の色空間の信号に変換する第２の変換手段を有する記録用信号生成手段と、
前記信号処理手段が出力する画像信号から、表示装置に対する表示用の画像信号を生成する表示用信号生成手段であって、前記表示用の画像信号に要求される第３の色空間が前記第１の色空間と異なる場合には、前記信号処理手段が出力する画像信号を前記第３の色空間の信号に変換する第３の変換手段を有する表示用信号生成手段と、
前記第１の色空間を前記第１の変換手段に設定し、前記第２の色空間を前記第２の変換手段に設定し、前記第３の色空間を前記第３の変換手段に設定する制御手段と、を有し、
前記制御手段は、前記画像処理装置が入力値の線形的な増加に対して出力値が対数的に増加する入出力特性で変換された動画像を記録する場合には、前記第１の色空間が前記第２の色空間と等しくなるように前記第１の色空間および前記第２の色空間を設定することを特徴とする画像処理装置。
【請求項８】
前記制御手段は、前記画像処理装置が入力値の線形的な増加に対して出力値が対数的に増加する前記入出力特性で変換されない動画像を記録する場合には、前記第１の色空間が前記第３の色空間と等しくなるように前記第１の色空間および前記第３の色空間を設定することを特徴とする請求項７に記載の画像処理装置。
【請求項９】
前記制御手段は、前記画像処理装置が静止画を記録する場合には、前記第１の色空間が前記第３の色空間と等しくなるように前記第１の色空間および前記第３の色空間を設定することを特徴とする請求項７または請求項８に記載の画像処理装置。
【請求項１０】
前記第２の色空間はＢＴ．７０９規格に準拠した色空間であることを特徴とする請求項７から請求項９のいずれか１項に記載の画像処理装置。
【請求項１１】
前記第３の色空間は、ＢＴ．６０１規格に準拠した色空間であることを特徴とする請求項７から請求項１０のいずれか１項に記載の画像処理装置。
【請求項１２】
撮像素子から出力された画像信号を、第１の色空間の画像信号に変換する第１の変換手段と、
前記第１の色空間の画像信号に対して色処理を適用して出力する信号処理手段と、
前記信号処理手段が出力する画像信号から動画記録用の画像信号を生成する記録用信号生成手段であって、前記動画記録用の画像信号に要求される第２の色空間が前記第１の色空間と異なる場合には、前記信号処理手段が出力する画像信号を前記第２の色空間の信号に変換する第２の変換手段を有する記録用信号生成手段と、
前記信号処理手段が出力する画像信号から、表示装置に対する表示用の画像信号を生成する表示用信号生成手段であって、前記表示用の画像信号に要求される第３の色空間が前記第１の色空間と異なる場合には、前記信号処理手段が出力する画像信号を前記第３の色空間の信号に変換する第３の変換手段を有する表示用信号生成手段と、
前記第１の色空間を前記第１の変換手段に設定し、前記第２の色空間を前記第２の変換手段に設定し、前記第３の色空間を前記第３の変換手段に設定する制御手段と、を有し、
前記制御手段は、前記画像処理装置が入力値の線形的な増加に対して出力値が対数的に増加する入出力特性で変換された動画像を記録する場合には、前記第１の色空間および前記第２の色空間をＢＴ．７０９規格に準拠した色空間に設定することを特徴とする画像処理装置。
【請求項１３】
前記制御手段は、前記画像処理装置が入力値の線形的な増加に対して出力値が対数的に増加する前記入出力特性で変換されない動画像を記録する場合には、前記第３の色空間をＢＴ．６０１規格に準拠した色空間に設定することを特徴とする請求項１２に記載の画像処理装置。
【請求項１４】
前記制御手段は、前記画像処理装置が静止画を記録する場合には、前記第１の色空間および前記第３の色空間をＢＴ．６０１規格に準拠した色空間に設定することを特徴とする請求項１２または請求項１３に記載の画像処理装置。
【請求項１５】
前記制御手段は、前記画像処理装置が静止画を記録する場合には、前記第２の色空間をＢＴ．７０９規格に準拠した色空間に設定することを特徴とする請求項１２からは請求項１４のいずれか１項に記載の画像処理装置。
【請求項１６】
撮像素子から出力された画像信号に対して画像処理を行う、画像処理装置が実行する方法であって、
前記撮像素子から出力された前記画像信号を、第１の色空間の画像信号に変換するステップと、
前記第１の色空間の画像信号に対して色処理を適用して出力信号を出力するステップと、
前記出力信号から動画記録用の画像信号を生成する第１生成ステップであって、
前記動画記録用の画像信号に要求される第２の色空間が前記第１の色空間と異なる場合には、前記信号処理手段が出力する画像信号を前記第２の色空間の信号に変換するステップを有する第１生成ステップと、
前記信号処理手段が出力する画像信号から、表示装置に対する表示用の画像信号を生成する第２生成ステップあって、
前記表示用の画像信号に要求される第３の色空間が前記第１の色空間と異なる場合には、前記出力信号を前記第３の色空間の信号に変換するステップを有する第２生成ステップと、を有し、
前記画像処理が入力値の線形的な増加に対して出力値が対数的に増加する入出力特性で変換された動画像を記録するために行われる場合には、前記第１の色空間が前記第２の色空間と等しくなるように前記第１の色空間および前記第２の色空間が設定されることを特徴とする方法。
【請求項１７】
撮像素子から出力された画像信号に対して画像処理を行う、画像処理装置が実行する方法であって、
前記撮像素子から出力された前記画像信号を、第１の色空間の画像信号に変換するステップと、
前記第１の色空間の画像信号に対して色処理を適用して出力信号を出力するステップと、
前記出力信号から動画記録用の画像信号を生成する第１生成ステップであって、
前記動画記録用の画像信号に要求される第２の色空間が前記第１の色空間と異なる場合には、前記信号処理手段が出力する画像信号を前記第２の色空間の信号に変換するステップを有する第１生成ステップと、
前記信号処理手段が出力する画像信号から、表示装置に対する表示用の画像信号を生成する第２生成ステップあって、
前記表示用の画像信号に要求される第３の色空間が前記第１の色空間と異なる場合には、前記出力信号を前記第３の色空間の信号に変換するステップを有する第２生成ステップと、を有し、
前記画像処理が入力値の線形的な増加に対して出力値が対数的に増加する入出力特性で変換された動画像を記録するために行われる場合には、前記第１の色空間および前記第２の色空間をＢＴ．７０９規格に準拠した色空間に設定することを特徴とする方法。
【請求項１８】
コンピュータを、請求項７から請求項１５のいずれか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】撮像装置およびその制御方法、画像処理装置および画像処理のための方法
【手続補正３】
【補正対象書類名】明細書
【補正対象項目名】０００１
【補正方法】変更
【補正の内容】
【０００１】
本発明は、撮像装置およびその制御方法、画像処理装置および画像処理のための方法に関する。
【手続補正４】
【補正対象書類名】明細書
【補正対象項目名】００１０
【補正方法】変更
【補正の内容】
【００１０】
本発明は、色空間変換処理が繰り返し適用されることによる動画像の画質劣化を抑制することができる撮像装置およびその制御方法、画像処理装置および画像処理のための方法を提供することを目的とする。
【手続補正５】
【補正対象書類名】明細書
【補正対象項目名】００１２
【補正方法】変更
【補正の内容】
【００１２】
本発明に係る撮像装置およびその制御方法、画像処理装置および画像処理のための方法によれば、色空間変換処理が繰り返し適用されることによる動画像の画質劣化を抑制することができる。
【手続補正６】
【補正対象書類名】明細書
【補正対象項目名】００１４
【補正方法】変更
【補正の内容】
【００１４】
以下、添付図面を参照して本発明の例示的な実施形態について説明する。
図１は、本発明の実施形態に係る撮像装置または画像処理装置の一例としてのデジタルスチルカメラ１００（以下、単にデジタルカメラという）における、撮像、現像、出力に関わる構成例を示すブロック図である。コントローラ１３０はＣＰＵおよび、ＲＯＭやＲＡＭ等のメモリを有し、以下に説明する各部を制御したり、各部の機能の一部もしくは全てを実現したりする。なお、以下に説明する構成の少なくとも一部は、コントローラ１３０のＣＰＵがソフトウェア的に実現してもよいし、ハードウェアによって実現されてもよいし、ハードウェアとソフトウェアの協働により実現されてもよい。